(57)【要約】      （修正有）【課題】生活の中心である家屋への出入りの安全を確保する防犯扉を提供する。【解決手段】従来の親扉の内側に右外側くぐり扉（ソ）、右内側くぐり扉（ヘ）を有し、双方は右くぐり扉鍵ガイドレール（カ）によってＶ字形に連結されており、扉室の右半分を形成する。同様に左外側くぐり扉（ツ）、左内側くぐり扉（ト）は左くぐり扉ガイドレール（ヨ）によってＶ字形に連結されており、扉室の左半分を形成する。左右の外側くぐり扉（ソ）、（ツ）が全閉位置にあるときは、左右のくぐり扉ガイドレール（カ）、（ヨ）上の左右の外側扉鍵穴（タ）、（レ）に鍵が落ち込み施錠されており、左右のくぐり扉はくぐり扉用蝶番（ラ）、（マ）によって親扉に取り付けられており、左右の内側くぐり扉は左右の外開きくぐり扉との間に扉室（ケ）を形成している。【選択図】図４
2011102521.tif 000002
【特許請求の範囲】
【請求項１】
家屋の出入り口において、屋外、屋内の中間に第３の空間、扉室を有する防犯扉。
【発明の詳細な説明】
【技術分野】
【０００１】本発明は家屋への入居時、または外出時における安全を確保する防犯扉に関するものである。
【背景技術】
【０００２】従来家屋内の安全は開口部の窓、出入り口の閉鎖性を高めることで行っていた、窓については、鍵、雨戸、シャッターがあった、出入り口には鍵があった、しかし出入り口の開閉時においては屋外と室内の空間が一体化し無防備になる欠点があった。
【発明の概要】
【０００３】この発明は上記の欠点を除去し出入り口の開閉時においても、安全を確保しようとするものである。
図１は従来の出入り口扉の正面図である、外開き扉を代表例として図示した、また室内側を正面図として図示している、▲イ▼は扉であるが、本発明においては説明の都合上親扉と呼称する、▲ロ▼は親蝶番、▲ハ▼は外枠、▲二▼は親鍵、▲ホ▼は親取っ手である、
図３はこの従来扉の平面図である、今出入りのため親扉▲イ▼を点線のように開いた場合屋外（上側）と室内（下側）の空間が一体化し無防備になる。
図２は本発明による扉室を内包する防犯扉の正面図である、外開き扉を代表例として図示し、屋内側を正面図としている、▲イ▼は従来の親扉である、この親扉の内側に図示のとうり右外側くぐり扉▲ソ▼、右内側くぐり扉▲ヘ▼を有し、双方は別に説明する右くぐり扉鍵ガイドレール▲カ▼によってＶ字形に連結されており、この発明による扉室の右半分を形成する、同様左外側くぐり扉▲ツ▼、左内側くぐり扉▲ト▼は左くぐり扉ガイドレール▲ヨ▼によってＶ字形に連結されており、この発明による扉室の左半分を形成する、この図２は左右の外側くぐり扉▲ソ▼  ▲ツ▼が全閉位置にあり左右のくぐり扉ガイドレール▲カ▼  ▲ウ▼上の左右の外側扉鍵穴▲タ▼  ▲レ▼に鍵が落ち込み施錠されている、この図２に対応する平面図は図６である、図示のとうり左右のくぐり扉はくぐり扉用蝶番▲ラ▼  ▲マ▼によって親扉に取り付けられている。左右の内側くぐり扉は内側に半開き状態にあり左右の外開きくぐり扉との間に扉室▲ケ▼を形成している、
今居住者が外出する場合図２正面図の左右の外側くぐり扉▲ソ▼  ▲ツ▼と左右の内側くぐり扉▲ヘ▼  ▲ト▼の間すなわちこの発明による扉室に▲ケ▼入り左右のくぐり扉の鍵▲チ▼  ▲リ▼を開錠レバー▲ヌ▼  ▲ル▼を手動にて開錠する、次に図６において左右の外側扉鍵穴▲タ▼  ▲レ▼に落ち込んでいた鍵が開錠されるため、くぐり扉は親扉に取り付けられた蝶番▲ラ▼  ▲マ▼により外側に開き図５の状態となり、扉中央の扉室▲ケ▼に入った居住者はなおも前方に進むと、図４のとうりとなり、外出が可能となる。
この時左右の内側くぐり扉は全閉となり左右の内側くぐり扉用の鍵穴▲ネ▼  ▲ナ▼に鍵が落ち込んで自動的に施錠される。鍵動作の詳細は後述する。
次に居住者が外出先から帰宅した場合のくぐり扉の動作を説明する、居住者が外出した場合は図４平面図のとうり左右の内側くぐり扉によって屋外と室内が遮断さてている、左右の外側くぐり扉は半開き状態になり、屋外側にこの発明による扉室▲ケ▼が形成されている、図２０はこの状態を示す右側面図である、居住者が入居する場合は、まず外側に半開きになっている扉室に身体を入れ左右の鍵穴に鍵を入れ開錠する、これにより図４の左右の内側くぐり扉鍵穴▲ネ▼  ▲ナ▼に落ち込んでいた鍵は開錠されるため、左右の内側くぐり扉▲ヘ▼  ▲ト▼は自由となり、居住者がなおも前進すると、左右のくぐり扉用蝶番の働きによって図５に至る、このとき不法侵入者が侵入しようとしても扉室▲ケ▼は成人一名分のスペースしかないため侵入できない、左右の外側くぐり扉▲ソ▼  ▲ツ▼を強引に開けられた場合は図４の状態に戻り、左右に内側くぐり扉の鍵が、鍵穴が▲ネ▼  ▲ナ▼に落ち込み施錠される、左右の内側くぐり扉によって屋外と室内が遮断され不法侵入を防止することができる。
居住者がなおも前進し図６に至ると左右の外側くぐり扉▲ソ▼  ▲ツ▼は全閉となり左右の外側くぐり扉用鍵穴▲タ▼  ▲レ▼に鍵が落ち込み施錠される、
鍵の構造と動作説明
図７  図８  図９はこの鍵の正面図である、ただし説明の都合上拡大して図示している、図７では鍵▲チ▼は右くぐり扉開錠レバーによって開錠されている図である、図８は図５平面図のとうりくぐり扉の中間位置で鍵は右くぐり扉鍵ガイドレールの▲カ▼上面を滑動している図である、図９はくぐり扉が全閉位置に達し、右くぐり扉ガイドレール上の鍵穴▲タ▼に鍵が落ち込んだ図である。
図１０は鍵の平面図である、▲イ▼は親扉、▲チ▼は鍵、▲カ▼は右くぐり扉ガイドレール▲ク▼は鍵穴、▲オ▼はくぐり扉ストッパー兼鍵保持器である。
図１１  図１２  図１３  図１４は鍵▲チ▼  親扉▲イ▼  右内側くぐり扉▲ヘ▼  右くぐり扉ガイドレール▲カ▼  右くぐり扉ストッパー兼鍵保持器▲オ▼  鍵穴▲ネ▼を表示している左側面図である、説明の都合上拡大して図示している。
図１１は右内側くぐり扉▲ヘ▼が全閉位置で鍵▲チ▼は右くぐり扉ガイドレール上の右内側くぐり扉鍵穴▲ネ▼に落ち込んでいる、この時親扉▲イ▼の左側（屋外側）から鍵穴▲ク▼に鍵を差し込み開錠する、鍵は上昇し図１２のとうりになる、鍵の上昇時ストッパー兼鍵保持器▲オ▼は板スプリングで製作されているため鍵のテーパー部分を通過するときは図１２の点線表示のとうり後退し、鍵が一定の高さのに達した後鍵の切り込み▲ヤ▼に入って鍵を保持する、
図１３は右内側くぐり扉▲ヘ▼および右くぐり扉ガイドレール▲カ▼が右方向に移動する、ストッパー兼鍵保持器も右方向に移動し鍵の切り込み▲ヤ▼から抜ける、このとき鍵は自重によって落下するが、右くぐり扉ガイドレールが移動しているため鍵穴▲ネ▼に落下することができず、右くぐり扉ガイドレール上を滑動する、図１４に至り右外側くぐり扉▲ソ▼は全閉となり右くぐり扉ガイドレール▲カ▼上を滑動していた鍵▲チ▼は右外側扉鍵穴▲タ▼に落ち込んで、右くぐり扉▲ソ▼は施錠される。
図１５  図１６  図１７  図１８は右外側くぐり扉▲ソ▼の全閉位置からの鍵の動作を左側面図で図示している、図１５で鍵▲チ▼は右くぐり扉鍵ガイドレール▲カ▼の右外側くぐり扉鍵穴に落ち込み施錠されている、いま親扉▲イ▼の右側（室内側）から開錠すると図１６となる、鍵▲チ▼の上昇時右くぐり扉ストッパー兼鍵保持器▲オ▼は板スプリングで製作されているため点線のように後退し鍵▲チ▼が一定の高さに達すると鍵▲チ▼のきりこみ▲ヤ▼に入って、鍵▲チ▼を保持する、右外側くぐり扉▲ソ▼及び右くぐり扉ガイドレール▲カ▼が左方向に移動すると、右外側ストッパー兼鍵保持器▲オ▼は後退し鍵▲チ▼の切り込み▲ヤ▼から抜けるため、鍵▲チ▼は落下するが、右くぐり扉ガイドレールはすでに一定距離を移動しているため、鍵穴▲タ▼には落下できず右くぐり扉ガイドレール上を滑動する、図１８に至って右内側くぐり扉▲ヘ▼が全閉となり鍵▲チ▼は右内側ガイドレール▲カ▼に設けられた鍵穴に落ち込み施錠される。
左右のくぐり扉鍵ガイドレールの説明
図４に図示のとうりくぐり扉鍵ガイドレール▲カ▼  ▲ヨ▼はＶ字形に製作された左右の内外くぐり扉▲ヘ▼  ▲ソ▼  ▲ト▼  ▲ツ▼上部に取り付けられ、内外の鍵穴▲ネ▼  ▲タ▼  ▲ナ▼  ▲レ▼を有する、内外のくぐり扉の全閉時においては鍵穴に鍵が落ち込み施錠の役目を果たし、くぐり扉の中間においては鍵を保持し、いずれかの鍵穴まで鍵を誘導する。
【課題を解決するための手段】
【０００４】この発明の課題は部品が多くなるため、製品の精度向上、耐久性の確保、防錆対策が必要である、また足元の安全確保のため、この発明のくぐり扉を可能な限り下部に設置する。
【発明の効果】
【０００５】この発明により、家屋の安全性が高まり、特に家人の救護が期待出来ない単身居住者の安全を提供できるものである。
【発明を実施するための最良の形態】
【０００６】広く社会に告知し、この発明の活用につとめる。
【図面の簡単な説明】
【０００７】
【図１】は従来の家屋用扉である、外開きを代表例とした、室内側を正面図としている。
【図２】はこの発明による扉内部に扉室を有する防犯扉である、外開きを代表例として図示している、室内側を正面図としている、図示では左右の外側くぐり扉▲ソ▼  ▲ツ▼が全閉位置にあり左右の内側くぐり扉▲ヘ▼  ▲ト▼は半開きとなっている、平面図は図６のとうりである。
【図３】従来の家屋扉の平面図である。
【図４】この発明による防犯扉である、左右の内側くぐり扉▲ヘ▼  ▲ト▼によって屋外（図の上側）と室内（図の下側）を遮断している。
【図５】この発明による扉室▲ケ▼に居住者が入り通過中を図示。
【図６】この発明による扉室▲ケ▼を居住者がとうり抜け、室内に入り左右の外側くぐり扉▲ソ▼  ▲ツ▼が屋外（図の上側）と室内側（図の下側）を遮断した図。
【図７】鍵の正面図、ただし拡大図
【図８】鍵の正面図、ただし拡大図
【図９】鍵の正面図、ただし拡大図
【図１０】鍵の平面図、ただし拡大図
【図１１】鍵の左側面図、鍵▲チ▼  親扉▲イ▼  右内側くぐり扉▲ヘ▼  右くぐり扉ガドレール▲カ▼  右くぐり扉ストッパー兼鍵保持器▲オ▼を図示。
【図１２】鍵の左側面図、鍵▲チ▼が開錠された図。
【図１３】鍵の左側面図、右内部くぐり扉▲ヘ▼、右くぐり扉ガイドレール▲カ▼が右方向に移動し鍵▲チ▼が右くぐり扉ガイドレール▲カ▼上を滑動している状態を図示。
【図１４】鍵の左側面図、右外側くぐり扉▲ソ▼が全閉位置となり、鍵▲チ▼は右くぐり扉ガイドレールに設けられた鍵穴▲ネ▼に落ち込み施錠される。
【図１５】鍵の左側面図、鍵▲チ▼  親扉▲イ▼  右外側くぐり扉▲ソ▼  右くぐり扉ガイドレール▲カ▼を図示、鍵▲チ▼は右くぐり扉ガイドレール▲カ▼に落ち込み施錠されている。
【図１６】鍵の左側面図、鍵▲チ▼が開錠された状態を図示。
【図１７】鍵の左側面図、右外側くぐり扉▲ソ▼  右くぐり扉ガイドレール▲カ▼は左側に移動し、鍵▲チ▼は右くぐり扉ガイドレール▲カ▼上を滑動する。
【図１８】鍵の左側面図、右内側くぐり扉▲ヘ▼は全閉となり、鍵▲チ▼は右くぐり扉ガイドレール▲カ▼上の鍵穴▲ネ▼に落ち込み施錠される。
【図１９】この発明による防犯扉の右側面図である、右内側くぐり扉▲ヘ▼が開いている状態を図示。
【図２０】この発明による防犯扉の右側面図である、右外側くぐり扉▲ソ▼が開いている状態を図示。
【符号の説明】
【０００８】▲イ▼  親扉
▲ロ▼  親蝶番
▲ハ▼  外枠
▲二▼  親鍵
▲ホ▼  親取っ手
▲ヘ▼  右内側くぐり扉
▲ト▼  左内側くぐり扉
▲チ▼  右くぐりとびら鍵
▲リ▼  左くぐり扉鍵
▲ヌ▼  右くぐり扉開錠レバー
▲ル▼  左くぐり扉開錠レバー
▲オ▼  右くぐり扉ストッパー兼鍵保持器
▲ワ▼  左くぐり扉ストッパー兼鍵保持器
▲カ▼  右くぐり扉鍵ガイドレール
▲ヨ▼  左くぐり扉鍵ガイドレール
▲タ▼  右外側扉鍵穴
▲レ▼  左外側扉鍵穴
▲ソ▼  右外側くぐり扉
▲ツ▼  左外側くぐり扉
▲ネ▼  右内側扉鍵穴
▲ナ▼  左内側扉鍵穴
▲ラ▼  右くぐり扉蝶番
▲マ▼  左くぐり扉蝶番
▲ク▼  鍵穴
▲ヤ▼  きりこみ
▲ケ▼  扉室
【図１】
2011102521.tif 000003
【図２】
2011102521.tif 000004
【図３】
2011102521.tif 000005
【図４】
2011102521.tif 000006
【図５】
2011102521.tif 000007
【図６】
2011102521.tif 000008
【図７】
2011102521.tif 000009
【図８】
2011102521.tif 000010
【図９】
2011102521.tif 000011
【図１０】
2011102521.tif 000012
【図１１】
2011102521.tif 000013
【図１２】
2011102521.tif 000014
【図１３】
2011102521.tif 000015
【図１４】
2011102521.tif 000016
【図１５】
2011102521.tif 000017
【図１６】
2011102521.tif 000018
【図１７】
2011102521.tif 000019
【図１８】
2011102521.tif 000020
【図１９】
2011102521.tif 000021
【図２０】
2011102521.tif 000022